(57)【特許請求の範囲】
【請求項１】
農作業機の回転軸の爪ホルダー部の磨耗を防止するためのホルダーガードであって、
前記爪ホルダー部に脱着可能に取り付けられる取付部と、
土付着部に付着した土をその土付着部から剥離する土落し部と、
この土落し部によって前記土付着部から剥離された土が通る土通し用孔部と
を備えることを特徴とするホルダーガード。
【請求項２】
土落し部がコ字状に形成されている
ことを特徴とする請求項１記載のホルダーガード。
【請求項３】
コ字状の土落し部は、
農作業機の回転軸の軸方向に沿って位置する１対の長手状部分と、
これら両長手状部分の端部同士を連結する連結部分とを有する
ことを特徴とする請求項２記載のホルダーガード。
【発明の詳細な説明】
【技術分野】
【０００１】
本発明は、農作業機の回転軸の爪ホルダー部の磨耗を防止するためのホルダーガードに関するものである。
【背景技術】
【０００２】
従来、例えば特許文献１に記載された農作業機である畦塗り機が知られている。
【０００３】
この従来の畦塗り機は、トラクタ等の走行車に連結される機体と、この機体に回転可能に設けられ田面および元畦の土を耕耘して盛り上げる盛土体（ロータリ）と、機体に回転可能に設けられ盛土体による盛土を締め固めて新たな畦（新畦）を形成する畦形成体と、盛土体の前方で元畦の畦上面を前処理する前処理体とを備えている。
【０００４】
そして、図１９に示されるように、この畦塗り機の盛土体１は、回転軸２を備え、この回転軸２の各爪ホルダー部３に盛土用の爪（耕耘爪）４が脱着可能に取り付けられている。また、これら複数の爪４は、所定形状のカバー部材（ロータリカバー）５にて覆われている。
【先行技術文献】
【特許文献】
【０００５】
【特許文献１】特開２０１０−４５９９５号公報
【発明の概要】
【発明が解決しようとする課題】
【０００６】
しかしながら、上記従来の畦塗り機（農作業機）の場合、例えばカバー部材５の内面に付着した土が、回転軸２の爪ホルダー部３の板部3aに接触するため、その爪ホルダー部３の板部3aが土で擦られて磨耗するおそれがある。
【０００７】
本発明は、このような点に鑑みなされたもので、農作業機の回転軸の爪ホルダー部の磨耗を防止することができるホルダーガードを提供することを目的とする。
【課題を解決するための手段】
【０００８】
請求項１記載のホルダーガードは、農作業機の回転軸の爪ホルダー部の磨耗を防止するためのホルダーガードであって、前記爪ホルダー部に脱着可能に取り付けられる取付部と、土付着部に付着した土をその土付着部から剥離する土落し部と、この土落し部によって前記土付着部から剥離された土が通る土通し用孔部とを備えるものである。
【０００９】
請求項２記載のホルダーガードは、請求項１記載のホルダーガードにおいて、土落し部がコ字状に形成されているものである。
【００１０】
請求項３記載のホルダーガードは、請求項２記載のホルダーガードにおいて、コ字状の土落し部は、農作業機の回転軸の軸方向に沿って位置する１対の長手状部分と、これら両長手状部分の端部同士を連結する連結部分とを有するものである。
【発明の効果】
【００１１】
本発明によれば、農作業機の回転軸の爪ホルダー部に脱着可能に取り付けられる取付部と、土付着部に付着した土をその土付着部から剥離する土落し部とを備えるため、農作業機の回転軸の爪ホルダー部の磨耗を防止できる。
【図面の簡単な説明】
【００１２】
【図１】本発明の第１の実施の形態に係るホルダーガードを具備した農作業機である畦塗り機の前進作業時の平面図である。
【図２】同上畦塗り機の非作業時の平面図である。
【図３】同上畦塗り機の後進作業時の平面図である。
【図４】同上畦塗り機の部分平面図である。
【図５】同上畦塗り機の要部斜視図である。
【図６】同上畦塗り機が具備したホルダーガードの平面図である。
【図７】同上ホルダーガードの斜視図である。
【図８】本発明の第２の実施の形態に係るホルダーガードの平面図である。
【図９】同上ホルダーガードの斜視図である。
【図１０】本発明の第３の実施の形態に係るホルダーガードの平面図である。
【図１１】同上ホルダーガードの正面図である。
【図１２】本発明の第４の実施の形態に係るホルダーガードの平面図である。
【図１３】同上ホルダーガードの斜視図である。
【図１４】本発明の第５の実施の形態に係るホルダーガードの斜視図である。
【図１５】本発明の第６の実施の形態に係るホルダーガードの斜視図である。
【図１６】本発明の第７の実施の形態に係るホルダーガードの平面図である。
【図１７】同上ホルダーガードの斜視図である。
【図１８】本発明の第１の実施の形態に係るホルダーガードを具備した農作業機である耕耘作業機を示す図である。
【図１９】従来の畦塗り機の部分平面図である。
【発明を実施するための形態】
【００１３】
本発明の第１の実施の形態について図１ないし図７を参照して説明する。
【００１４】
図１ないし図３において、11は農作業機である畦塗り機で、この畦塗り機11は、例えば図示しない走行車であるトラクタの後部に連結して使用するものである。
【００１５】
畦塗り機11は、前進作業時には、トラクタの後部に連結された状態で、トラクタの前進走行により進行方向（前方）に向かって移動しながら畦塗り作業（畦修復作業）をする（図１参照）。また、畦塗り機11は、圃場の隅部での後進作業時（バック作業時）には、トラクタの後部に連結された状態で、トラクタの後進走行（バック走行）により進行方向（後方）に向かって移動しながら畦塗り作業をする（図３参照）。なお、畦塗り機11は、一の圃場から他の圃場への移動の際等の非作業時には、トラクタの後部に連結された状態で、トラクタの後方に位置するように格納される（図２参照）。
【００１６】
畦塗り機11は、図１ないし図３等に示されるように、トラクタの後部に脱着可能に連結される機体12と、機体12に回転可能に設けられ所定方向（図５に示す回転方向）に回転しながら田面および元畦の土を耕耘して盛り上げる盛土体（ロータリ）13と、機体12に回転可能に設けられ盛土体13の進行方向後方で所定方向に回転しながら盛土体13による盛土を締め固めて新たな畦（新畦）を形成する畦形成体（ディスク）14と、盛土体13の進行方向前方で元畦の畦上面を前処理、すなわち例えば雑草除去のために元畦の畦上面の土を耕耘して削る前処理体である上面削り体15とを備えている。
【００１７】
機体12は、トラクタの後部に脱着可能に連結される固定機枠16と、この固定機枠16に対して可動可能で、図１に示す前進作業状態、図２に示す非作業状態および図３に示す後進作業状態となる可動機枠17と、この可動機枠17を固定機枠16に対して可動させる駆動手段であるシリンダ18，19とを有している。可動機枠17によって、盛土体13、畦形成体14および上面削り体15が回転可能に支持されている。
【００１８】
固定機枠16は、軸支持部20を有し、この軸支持部20にて入力軸21が回転可能に支持されている。入力軸21には、トラクタのＰＴＯ軸がジョイント等を介して接続される。なお、盛土体13、畦形成体14および上面削り体15は、入力軸21側からの動力によって所定方向に駆動回転するようになっている。
【００１９】
畦形成体14は、機体12の可動機枠17にて回転可能に支持された回転軸23と、この回転軸23とともに回転しながら盛土体13の進行方向後方で盛土体13による盛土を締め固めて傾斜状の畦側面を形成する截頭円錐状の畦側面形成部材（側面ローラ）24と、回転軸23とともに回転しながら盛土体13の進行方向後方で盛土体13による盛土を締め固めて水平状の畦上面を形成する円筒状の畦上面形成部材（上面ローラ）25とを有している。
【００２０】
上面削り体15は、機体12の可動機枠17の軸支持部27にて回転可能に支持された回転軸28と、この回転軸28とともに回転しながら盛土体13の進行方向前方で元畦の畦上面を前処理する複数本の上面削り爪29とを有している。
【００２１】
盛土体13は、図４ないし図７等にも示されるように、機体12の可動機枠17の円筒状の軸支持部（ボス部）30にて回転可能に水平状に支持され入力軸21側からの動力によって前後方向の回転中心軸線Ｘを中心として所定方向（図５に示す回転方向）に回転する回転軸（爪ホルダー部付き回転軸）31と、この回転軸31とともに回転しながら田面および元畦の土を耕耘して元畦上に盛り上げる複数本の爪（耕耘爪）35とを有している。
【００２２】
各爪35は、例えば周知のもので、湾曲した細長い板形状をなすものであり、その基端部にはボルト用孔部が形成されている。また、これら複数本の爪35は、爪35にて切削された土を元畦上に向けて誘導案内するとともにその土の飛散を防止する所定形状のカバー部材（ロータリカバー）34にて覆われている。なお、図６および図７は、爪35の記載を省略した図である（後述する図８等も同様）。
【００２３】
回転軸31は、断面円形状の丸軸からなる回転軸本体部32と、この回転軸本体部32の円筒面状の外周面における軸方向に間隔をおいた複数箇所に溶接等により一体的に固設された筒状の爪ホルダー部33とを有している。なお、回転軸本体部32と爪ホルダー部33とを一体に設けたものでもよい。
【００２４】
そして、各爪ホルダー部33には、土を耕耘する所定形状の耕耘爪である爪35が爪取付手段である爪取付用のボルト36およびナット37によって脱着可能に取り付けられている。ボルト36は、例えば６角形状の頭部36aと、外周面にねじ溝が形成された丸軸状の軸部36bとにて構成されている。
【００２５】
ここで、爪ホルダー部33は、矩形状の先端面開口40によって回転軸31の径方向外方（回転中心軸線Ｘに対して直交する方向）に向かって開口する４角筒状のものである。つまり、爪ホルダー部33は、回転方向前側の第１板部分（回転方向前板）41と、第１板部分41と離間対向する回転方向後側の第２板部分（回転方向後板）42と、これら第１板部分41および第２板部分42の一方側（軸支持部30側）の端部同士を連結する第３板部分43と、この第３板部分43と離間対向し第１板部分41および第２板部分42の他方側（軸支軸部30側とは反対側）の端部同士を連結する第４板部分44とを有している。また、第３板部分43には６角形状の頭部用孔部45が形成され、この頭部用孔部45にボルト36の頭部36aが嵌脱可能に嵌入されている。第４板部分44には円形状の軸部用孔部46が形成され、この軸部用孔部46にボルト36の軸部36bが挿通されている。
【００２６】
そして、回転軸31が有する複数の爪ホルダー部33のうち、例えば回転軸31の軸支持部30側の端部に位置する２つの爪ホルダー部33には、土との接触による爪ホルダー部33の磨耗を防止するためのホルダーガード51が、爪取付用のボルト36およびナット37によって、爪35とともに脱着可能に取り付けられている。
【００２７】
ホルダーガード51は、ボルト36およびナット37によって回転軸31の爪ホルダー部33に爪35とともに脱着可能に取り付けられた取付部52と、この取付部52の回転方向前側に固定的に設けられ可動機枠17の土付着部50に付着した土をその土付着部50から掻き取るようにして剥離する土落し部53と、この土落し部53によって土付着部50から剥離された土が通る矩形状の土逃がし用空間部である土通し用孔部54とを備えている。
【００２８】
土付着部50は、爪35の周囲を覆うカバー部材34の略半円形状の板部（爪と対向する壁面部）55と、回転軸31の回転軸本体部32を回転可能に支持する軸支持部30の円筒面状の外周面部56とにて構成されている。なお、軸支持部30は、例えばボールベアリング等にて構成されている。
【００２９】
カバー部材34の鉛直面状の板部（爪対向板部）55は、回転軸31の軸支持部30側の端部に位置する爪ホルダー部33に取り付けられた爪35と近接して対向している。この板部55の上側の縁部には湾曲板部57が取り付けられ、この湾曲板部57には板部55と離間対向する対向板部58が取り付けられている。また、軸支持部30の円筒面状の外周面部56の端部にはフランジ部59が突設され、このフランジ部59がボルト等の取付具（図示せず）にて被取付部に取り付けられている。
【００３０】
取付部52は、例えば爪ホルダー部33の４つの側面すべてを覆うもので、両端面開口状の４角筒状に形成され、爪ホルダー部33の外周側に嵌合されている。この取付部52は、爪ホルダー部33の第１板部分41の外面を覆う矩形板状の第１覆い板部分61と、爪ホルダー部33の第２板部分42の外面を覆う矩形板状の第２覆い板部分62と、爪ホルダー部33の第３板部分43の外面を覆う矩形板状の第３覆い板部分63と、爪ホルダー部33の第４板部分44の外面を覆う矩形板状の第４覆い板部分64とを有している。
【００３１】
第１覆い板部分61と第３覆い板部分63とが、断面Ｌ字状となるように中間の一箇所で直角に折り曲げられた１枚の折曲板部材68にて構成されている。同様に、第２覆い板部分62と第４覆い板部分64とが、断面Ｌ字状となるように中間の一箇所で直角に折り曲げられた１枚の折曲板部材69にて構成されている。
【００３２】
なお、取付部52の第１覆い板部分61が、爪ホルダー部33の回転方向前面の全体を覆う前面覆い板部である。そして、この前面覆い板部である第１覆い板部分61にて爪ホルダー部33の回転方向前面の全体が覆われているため、回転軸31の回転時に土が爪ホルダー部33に直接接触しない。
【００３３】
また、第３覆い板部分63は、土付着部50の板部55と離間対向して平行状に位置している。この第３覆い板部分63には、ボルト36の頭部36aが通過可能な大きさの円形状の孔部65が形成されている。第４覆い板部分64には円形状の軸部用孔部66が形成され、この軸部用孔部66にボルト36の軸部36bが挿通されている。
【００３４】
そして、頭部36aが爪ホルダー部33の第３板部分43の頭部用孔部45に回転不能に嵌入されかつ軸部36bが爪35のボルト用孔部（図示せず）と爪ホルダー部33の第４板部分44の軸部用孔部46と取付部52の第４覆い板部分64の軸部用孔部66とに挿通された状態のボルト36に対して、ナット37が螺合されて締め付けられることにより、爪35の基端部（取付部）およびホルダーガード51の取付部52が爪ホルダー部33に共締めにより取り付けられている。なお、ナット37と第４覆い板部分64との間には、座金38を介在させる。
【００３５】
また、取付部52は、回転軸31の回転時に土との接触により爪ホルダー部33の代わりに磨耗する磨耗部分（爪ホルダー部磨耗防止部）70を有している。磨耗部分70は、第１覆い板部分61の第３覆い板部分63側の端部（土落し部53にて覆われている部分を除く）にて構成されている。つまり、磨耗部分70は、折曲板部材68の折曲部分68aにて構成されている。そして、取付部52が磨耗部分70を有するため、回転軸31の回転時において土が爪ホルダー部33の第３板部分43に直接当たらないようになっている。なお、図７において斜線を施した部分が、磨耗部分70である。
【００３６】
土落し部53は、例えば細長い平板部材にて構成されたもので、コ字状（略コ字状を含む）に形成されている。土落し部53は、取付部52の第１覆い板部分61の外面（爪ホルダー部33の回転方向前面）にその一部が重なり合うようにして固設され、その取付部52の第１覆い板部分61からカバー部材34の板部55側に向かって突出している。そして、取付部52の磨耗部分70と土落し部53とにて、略正方形状の土通し用孔部54が区画形成されている。
【００３７】
また、このコ字状の土落し部53は、盛土体13の回転軸31の軸方向（回転中心軸線Ｘ）に沿って位置する細長平板状の１対の長手状部分71，72と、これら両長手状部分71，72の先端部同士を連結する細長平板状の連結部分73とにて構成されている。両長手状部分71，72の基端部が、取付部52の第１覆い板部分61の外面に固設されている。
【００３８】
爪ホルダー部33の先端側に位置する長手状部分71の幅寸法（短手方向長さ寸法）は、爪ホルダー部33の基端側に位置する長手状部分72の幅寸法（短手方向長さ寸法）よりも大きく、連結部分73の幅寸法（短手方向長さ寸法）と同じである。
【００３９】
このように爪ホルダー部33の先端側に位置する長手状部分71を爪ホルダー部33の基端側に位置する長手状部分72よりも幅広にする理由は、爪35が板部55側を向いているので、板部55に付着した土が徐々に回転軸31側に押し込まれることとなり、長手状部分71にてその土を常時掻き落さなければならず、その長手状部分71が長手状部分72よりも磨耗し易いからである。
【００４０】
なお、例えば長手状部分72の幅寸法が長手状部分71の幅寸法よりも大きく連結部分73の幅寸法と同じである構成や、各部分71，72，73の幅寸法がいずれも同じである構成等でもよい。
【００４１】
そして、連結部分73は、回転軸31の回転時に、カバー部材34の板部（カバー板部）55に付着した土と接触してその土を板部55から剥離する。つまり、連結部分73は、板部55の内面の付着土を削ぎ落とす。また、軸支持部30側の長手状部分72は、回転軸31の回転時に、軸支持部30の外周面部56に付着した土と接触してその土を外周面部56から剥離する。つまり、長手状部分72は、外周面部56の付着土を削ぎ落とす。
【００４２】
次に、畦塗り機11の作用等を説明する。
【００４３】
トラクタの前進走行により畦塗り機11が進行方向に向かって移動すると、上面削り体15にて元畦の畦上面が前処理され、盛土体13にて田面および元畦の土が耕耘されて盛り上げられ、畦形成体14にてその盛土が締め固められて新畦が形成される。
【００４４】
このとき、盛土体13の回転軸31は、爪35およびホルダーガード51とともに所定の回転方向に向かって回転する。
【００４５】
すると、ホルダーガード51の土落し部53が、板部55および外周面部56からなる土付着部50に付着した土をその土付着部50から掻き取って剥離し、この剥離された土が、土通し用孔部54を通って圃場上に落下していく。
【００４６】
つまり、土落し部53の連結部分73が土付着部50の板部55の付着土を掻き落とし、かつ、土落し部53の長手状部分72が土付着部50の外周面部56の付着土を掻き落とす。その結果、図１９に示す従来の場合とは異なり、土付着部50に土が付着して成長して固まってしまうようなことがない。
【００４７】
そして、このようなホルダーガード51によれば、畦塗り機11の盛土体13の回転軸31の爪ホルダー部33に脱着可能に取り付けられる取付部52と、この取付部52に設けられた土落し部53とを備えるため、回転軸31の爪ホルダー部33の磨耗を防止できる。よって、爪ホルダー部33の磨耗によって高価な回転軸31を交換しなければならない事態が生じるのを防止できる。
【００４８】
また、取付部52は、爪ホルダー部33の回転方向前面を覆う前面覆い板部である第１覆い板部分61を有するため、回転軸31の回転時に土が爪ホルダー部33に直接接触せず、爪ホルダー部33の磨耗を適切に防止できる。
【００４９】
さらに、取付部52を爪取付用のボルト36およびナット37によって爪ホルダー部33に爪35とともに取り付けることができるため、取付部52をホルダーガード専用の取付部材によって爪ホルダー部33に取り付ける構成に比べて、部品点数を少なくでき、コスト低減を図ることができる。
【００５０】
また、土落し部53にて土付着部50から離された土が通る土通し用孔部54を備えるため、土の流れがスムーズとなり、回転軸31の回転抵抗が小さくなり、省エネ化を図ることができる。
【００５１】
さらに、土落し部53がコ字状に形成されているため、十分な強度を確保でき、爪ホルダー部33の磨耗を適切かつ効果的に防止できる。
【００５２】
また、取付部52の磨耗部分70が磨耗して交換が必要となったとしても、ホルダーガード51を容易に交換でき、その交換費用も回転軸31自体を交換する場合に比べて安価である。
【００５３】
さらに、ホルダーガード51によって、草等の雑物が軸支持部30の外周側に巻き付くことや土が軸支持部30の内部に浸入すること等も防止できる。
【００５４】
図８および図９には、本発明の第２の実施の形態が示されている。
【００５５】
図８および図９に示されるように、ホルダーガード51の取付部52は、平面視Ｕ字状で、第２覆い板部分62を有しないものでもよい。なお、図９において斜線を施した部分が磨耗部分70である。
【００５６】
図１０および図１１には、本発明の第３の実施の形態が示されている。
【００５７】
図１０および図１１に示されるように、ホルダーガード51の取付部52は、平面視Ｌ字状で、第２覆い板部分62および第３覆い板部分63を有しないものでもよい。つまり、取付部52は、少なくとも、ボルト36に対するナット37の締め付けによりナット37と爪ホルダー部33との間で挟持される取付板部である第４覆い板部分64と、この第４覆い板部分64に設けられ爪ホルダー部33の第１板部分41の外面（爪ホルダー部33の回転方向前面）を覆う前面覆い板部である第１覆い板部分61とを有するものであればよい。また、土落し部53は、第１覆い板部分61の側縁に連続するように一体に連設されたものでもよい。
【００５８】
そして、この第３の実施の形態に係るホルダーガード51は、中間の一箇所で直角に折り曲げられた１枚の折曲板部材のみで構成されており、きわめて安価に製造できる。なお、図１１において斜線を施した部分が磨耗部分70である。
【００５９】
図１２および図１３には、本発明の第４の実施の形態が示されている。
【００６０】
図１２および図１３に示されるように、ホルダーガード51の土落し部53は、平板部材でなく、コ字状に折り曲げた丸棒部材にて構成してもよい。なお、図１３において斜線を施した部分が磨耗部分70である。例えば図示しないが、土落し部53を角棒部材で構成してもよい。しかも、図１４に示す第５の実施の形態のようにＬ字状の土落し部53でもよく、図１５に示す第６の実施の形態のように真っ直ぐな直線状の土落し部53でもよい。
【００６１】
図１６および図１７には、本発明の第７の実施の形態が示されている。
【００６２】
図１６および図１７に示されるように、ホルダーガード51の取付部52は、第２覆い板部分62および第４覆い板部分64を有しないものでもよい。なお、図１７において斜線を施した部分が磨耗部分70である。また、この図１６および図１７に示す爪ホルダー部33は、図６に示すものとは異なり、第４板部分44に６角形状の頭部用孔部45が形成され、第３板部分43に円形状の軸部用孔部46が形成されている。
【００６３】
なお、上記各実施の形態では、ホルダーガード51を畦塗り機11の盛土体13の回転軸31の爪ホルダー部33に取り付けた場合について説明したが、例えば図１８に示すように、農作業機である耕耘作業機81の回転軸31の爪ホルダー部33に取り付けて使用することも可能である。
【００６４】
この耕耘作業機（ロータリー作業機）81は、トラクタの後部に脱着可能に連結される機体82と、機体82のチェーンケース部83およびブラケット部84にて回転可能に支持され入力軸86側からの動力で所定方向に回転しながら耕耘作業をする耕耘体85と、この耕耘体85の後方で整地作業をする整地体（図示せず）とを備えている。
【００６５】
耕耘体85は、入力軸86側からの動力によって所定の回転方向に向かって回転する回転軸（爪ホルダー部付き回転軸）31と、この回転軸31とともに回転しながら圃場の土を耕耘する複数本の爪（耕耘爪）35とを有している。
【００６６】
回転軸31の一端部はチェーンケース部83の下部の軸支持部（ボス部）30にて回転可能に支持され、回転軸31の他端部はブラケット部84の下部の軸支持部（ボス部）30を介して回転可能に支持されている。
【００６７】
そして、回転軸31が有する複数の爪ホルダー部33のうち、例えば回転軸31の左右両端部に位置する爪ホルダー部33にホルダーガード51がボルト36およびナット37によって爪35とともに脱着可能に取り付けられている。
【００６８】
左側のホルダーガード51は、チェーンケース部83の内側板部83aと左側の軸支持部30の外周面部56とにて構成された土付着部50に付着した土をその土付着部50から剥離する土落し部53を有している。また、右側のホルダーガード51は、ブラケット部84と右側の軸支持部30の外周面部56とにて構成された土付着部50に付着した土をその土付着部50から剥離する土落し部53を有している。
【００６９】
そして、このような耕耘作業機81にホルダーガード51を使用した場合でも、回転軸31の爪ホルダー部33の磨耗を防止でき、よって爪ホルダー部33の磨耗によって高価な回転軸31を交換しなければならない事態が生じるのを防止できる。なお図示しないが、畦塗り機11や耕耘作業機81以外に、代掻き機或いは溝堀機等の各種の農作業機に適用可能である。
【００７０】
なお、各実施の形態を適宜組み合わせるようにしてもよい。
【００７１】
また、いずれの実施の形態においても、土落し部53が取付部52に溶接等により一体的に固設された構成には限定されず、例えば取付部52と土落し部53とをプレス加工等により一体形成した構成等でもよい。
【００７２】
さらに、例えば取付部52に取付部である土落し部取付孔部を形成し、この土落し部取付孔部に土落し部53を脱着可能に取り付けるようにしてもよい。
【符号の説明】
【００７３】
11    農作業機である畦塗り機
31    回転軸
33    爪ホルダー部
50    土付着部
51    ホルダーガード
52    取付部
53    土落し部
54    土通し用孔部
71，72    長手状部分
73    連結部分
81    農作業機である耕耘作業機
【図１】
0005705080.tif 000002
【図２】
0005705080.tif 000003
【図３】
0005705080.tif 000004
【図４】
0005705080.tif 000005
【図５】
0005705080.tif 000006
【図６】
0005705080.tif 000007
【図７】
0005705080.tif 000008
【図８】
0005705080.tif 000009
【図９】
0005705080.tif 000010
【図１０】
0005705080.tif 000011
【図１１】
0005705080.tif 000012
【図１２】
0005705080.tif 000013
【図１３】
0005705080.tif 000014
【図１４】
0005705080.tif 000015
【図１５】
0005705080.tif 000016
【図１６】
0005705080.tif 000017
【図１７】
0005705080.tif 000018
【図１８】
0005705080.tif 000019
【図１９】
0005705080.tif 000020